(57)【要約】【課題】効率よく室内に干した洗濯物を乾燥できる運転モードを備えた空気調和機を提供する。【解決手段】室内ファン８と、圧縮機と、湿度センサとを備え、室内に干した洗濯物を乾燥するための衣類乾燥運転として、圧縮機の運転を継続した状態で、湿度センサの検出湿度に応じて、室内ファン８の回転数が高い運転と室内ファン８の回転数が低い運転とを交互に行うことで、室内熱交換器６の結露水の再蒸発を防止し、衣類の乾燥速度を向上させる。【選択図】図８
2016075441.tif 000002
【特許請求の範囲】
【請求項１】
室内ファンと、圧縮機と、室内空気の湿度を検知する湿度検知手段とを備え、
室内に干した洗濯物を乾燥するための衣類乾燥運転として、前記圧縮機の運転を継続した状態で、前記湿度検知手段の検出湿度に応じて、前記室内ファンの回転数が高い運転と前記室内ファンの回転数が低い運転とを交互に行うことを特徴とする空気調和機。
【請求項２】
前記湿度検知手段の検出湿度が高い場合には、前記室内ファンの回転数が低い運転を行うことを特徴とする請求項１に記載の空気調和機。
【請求項３】
室内空気の温度を検知する室温検知手段を備え、
前記室温検知手段の検出温度が所定温度より低い場合には、前記圧縮機を停止するとともに、前記室内ファンも停止することを特徴とする請求項１に空気調和機。
【請求項４】
室内空気の温度を検知する室温検知手段を備え、
前記室温検知手段の検出温度が所定温度より低い場合には、暖房運転を行うことを特徴とする請求項１に空気調和機。
【発明の詳細な説明】
【技術分野】
【０００１】
本発明は、室内に干した洗濯物の乾燥のための運転モードである衣類乾燥運転を備えた空気調和機に関する。
【背景技術】
【０００２】
従来、この種の空気調和機としては、例えば、特許文献１（特開２０１１−１５８１９１号公報）に開示されたものが知られている。
【０００３】
特許文献１には、室内に干した洗濯物の乾燥のための運転として、冷房運転と送風運転を交互に行う空気調和機が開示されている。
【先行技術文献】
【特許文献】
【０００４】
【特許文献１】特開２０１１−１５８１９１号公報
【発明の概要】
【発明が解決しようとする課題】
【０００５】
しかしながら、特許文献１の空気調和機では、送風運転時に室内熱交換器に付着した結露水が再蒸発することで、室内の湿度が上昇してしまい、洗濯物の乾燥が迅速に行えないという課題があった。
【０００６】
従って、本発明の目的は、前記課題を解決することにあって、室内熱交換器に付着した結露水の再蒸発を防止し、洗濯物の乾燥を迅速に行うことができる空気調和機を提供することにある。
【課題を解決するための手段】
【０００７】
前記目的を達成するために、本発明に係る空気調和機は、室内ファンと、圧縮機と、室内空気の湿度を検知する湿度検知手段とを備え、室内に干した洗濯物を乾燥するための衣類乾燥運転として、前記圧縮機の運転を継続した状態で、前記湿度検知手段の検出湿度に応じて、前記室内ファンの回転数が高い運転と前記室内ファンの回転数が低い運転とを交互に行う。
【発明の効果】
【０００８】
本発明に係る空気調和機によれば、室内熱交換器に付着した結露水の再蒸発を防止し、洗濯物の乾燥を迅速に行うことができる。
【図面の簡単な説明】
【０００９】
【図１】本発明の第１実施形態に係る空気調和機の室内機の全体斜視図である。
【図２】図１に示す室内機の断面図である。
【図３】図１に示す室内機の内部構成を概略的に示す斜視図である。
【図４】図１に示す室内機が備える吸引ノズルを前面側から見た斜視図である。
【図５】図１に示す室内機が備える吸引ノズルをエアフィルタ側から見た斜視図である。
【図６】図１に示す室内機の内部構成を概略的に示す斜視図である。
【図７】空気調和機の人の存否及び移動検知のための領域の説明図である。
【図８】衣類乾燥運転の動作を示すフローチャートである。
【図９】衣類のある位置への風向制御動作を説明するフローチャートである。
【発明を実施するための形態】
【００１０】
本発明の第１態様によれば、室内ファンと、圧縮機と、室内空気の湿度を検知する湿度検知手段とを備え、室内に干した洗濯物を乾燥するための衣類乾燥運転として、前記圧縮機の運転を継続した状態で、前記湿度検知手段の検出湿度に応じて、前記室内ファンの回転数が高い運転と前記室内ファンの回転数が低い運転とを交互に行う、空気調和機を提供する。
【００１１】
本発明の第２態様によれば、前記湿度検知手段の検出湿度が高い場合には、前記室内ファンの回転数が低い運転を行う、第１態様に記載の空気調和機を提供する。
【００１２】
本発明の第３態様によれば、室内空気の温度を検知する室温検知手段を備え、前記室温検知手段の検出温度が所定温度より低い場合には、前記圧縮機を停止するとともに、前記室内ファンも停止する、第１の態様に記載の空気調和機を提供する。
【００１３】
本発明の第４態様によれば、室内空気の温度を検知する室温検知手段を備え、前記室温検知手段の検出温度が所定温度より低い場合には、暖房運転を行う、第１の態様に記載の空気調和機を提供する。
【００１４】
以下、本発明の実施形態について、図面を参照しながら説明する。なお、ここでは、同一又は相当部分には同一の符号を付し、重複する説明は省略する。
【００１５】
（第１実施形態）
本発明の第１実施形態に係る空気調和機は、冷媒配管で互いに接続された室外機と室内機とで構成されている。そして、この空気調和機は、室外機に設けられた圧縮機、四方弁、熱交換器（室外熱交換器）、減圧装置などと、室内機に設けられた熱交換器（室内熱交換器）などにより構成された冷凍サイクル回路を備えている。また、室外機には、室外熱交換器に送風する室外ファンが設けられている。図１は、本発明の第１実施形態に係る空気調和機の室内機の全体斜視図である。図２は、図１に示す室内機の断面図である。図３は、図１に示す室内機の内部構成を概略的に示す斜視図である。
【００１６】
本第１実施形態に係る室内機は、本体２と、本体２の前面開口部２Ａの前方に固定された前面パネル４とを備えている。
【００１７】
なお、前面パネル４は、前面開口部２Ａを開閉自在に塞ぐ可動式であってもよい。この場合には、前面パネル４は、空気調和機の運転停止時において、本体２に密着して前面開口部２Ａを閉じるように設けられている。一方、空気調和機の空調運転時において、前面パネル４は、本体２から離反する方向に移動して前面開口部２Ａを開放するように設けられている。
【００１８】
本体２の内部には、室内熱交換器６と、前面開口部２Ａ及び上面開口部２Ｂから取り入れられた室内空気を室内熱交換器６で熱交換して室内に吹き出すための室内ファン８と、熱交換した空気を室内に吹き出す吹出口１０を開閉するとともに空気の吹き出し方向を上下に変更する上下風向変更羽根１２と、空気の吹き出し方向を左右に変更する左右風向変更羽根１４とが設けられている。つまり、上下風向変更羽根１２と、左右風向変更羽根１４とは、空気の吹出し方向を変更する風向変更板である。
【００１９】
空気調和機が空調運転を開始すると、上下風向変更羽根１２が開制御されて吹出口１０が開放される。この状態で室内ファン８が駆動されることで、室内空気が前面開口部２Ａ及び上面開口部２Ｂを介して室内機の内部に取り入れられる。取り入れられた室内空気は
、室内熱交換器６で熱交換され、室内ファン８を通過し、室内ファン８の下流側に形成された通風路１６を通過して、吹出口１０より吹き出される。
【００２０】
本体２の下部前面部分には、人体や物体を検知する赤外線検知センサ１７が設けてある。赤外線検知センサ１７は前面パネル４の下面に設けられており、赤外線検知センサ１７の前面は赤外線を透過する樹脂製のカバー１５で覆われる構成となっている。なお、図１においてはカバー１５を下方に若干ずらして、カバー１５内部に設けられた赤外線検知センサ１７が見えるように図示するとともに、赤外線検知センサ１７の拡大図も併せて図示している。
【００２１】
赤外線検知センサ１７は、複数（例えば、三つ）のセンサユニット１７Ａ、１７Ｂ、１７Ｃで構成され、センサホルダ１９に保持され可動することなく固定した状態で組み込まれている。そして、前記各センサユニット１７Ａ、１７Ｂ、１７Ｃのセンサ素子は、人体や物体から放射される赤外線を検知する焦電素子型の赤外線センサにより構成しており、各センサユニッ１７Ａ、１７Ｂ、１７Ｃのセンサ素子が検知する赤外線量の変化により空調すべき部屋全体の人や物の存否を常時検出している。
【００２２】
また、前面開口部２Ａまたは上面開口部２Ｂには、前面開口部２Ａ、上面開口部２Ｂから取り入れられる室内空気の温度を検知する吸込温度センサ（図示せず、本発明における室温検知手段）と、室内空気の湿度を検知する湿度センサ（図示せず、本発明における湿度検知手段）が設けられている。
【００２３】
また、前面開口部２Ａ及び上面開口部２Ｂと室内熱交換器６との間には、前面開口部２Ａ及び上面開口部２Ｂから取り入れられた室内空気に含まれる塵埃を除去するためのエアフィルタ１８が設けられている。エアフィルタ１８は、図３に示すように、枠体部分（「桟」ともいう）１８Ａと、当該枠体部分に保持された網部分（「フィルタ面」ともいう）１８Ｂとを備えている。
【００２４】
エアフィルタ１８は、フィルタ保持部材２０により保持されている。フィルタ保持部材２０の上端部及び下端部には、一対のガイドレール２２，２２が設けられている。一対のガイドレール２２，２２の間には、エアフィルタ１８の表面に付着した塵埃を除去する塵埃除去部の一例である吸引ノズル２４が設けられている。吸引ノズル２４は、一対のガイドレール２２，２２に沿って移動することにより、エアフィルタ１８の表面に沿って室内機の幅方向（図３では左右方向）に移動する。吸引ノズル２４とエアフィルタ１８との間には、互いに接触しないように僅かな隙間が設けられている。
【００２５】
次に、図４、図５を用いて、吸引ノズル２４の構成についてより具体的に説明する。図４は、吸引ノズル２４を前面側から見た斜視図である。図５は、吸引ノズル２４をエアフィルタ１８側から見た斜視図である。
【００２６】
図４及び図５に示すように、吸引ノズル２４は、エアフィルタ１８の左右方向に対して直角な方向に長手方向を備えるとともに、エアフィルタ１８に沿うように複数の屈曲部を備えている。吸引ノズル２４は、内部に、後述する吸引装置によって吸引される空気や塵埃が流れる通風路を備えている。吸引ノズル２４の内部に設けられた通風路は、エアフィルタ１８に相対する面に、吸引ノズル２４の長手方向に開口するノズル開口部２４Ｂを備えている。また、吸引ノズル２４は、吸引ノズル２４の長手方向周囲にループ状に巻き付けられ、吸引ノズル２４の長手方向に対して自在に移動するベルト２４Ｃを備えている。
【００２７】
ベルト２４Ｃには、エアフィルタ１８の塵埃を吸込む吸引孔２４Ｄが形成されている。吸引孔２４Ｄは、ノズル開口部２４Ｂに相対しており、ノズル開口部２４Ｂの開口長さ（
吸引ノズル２４の長手方向の長さ）より短い長さを備えている。
【００２８】
ベルト２４Ｃを移動させることで吸引孔２４Ｄは、吸引ノズル２４の長手方向に移動させることができる。これにより、ノズル開口部２４Ｂと吸引孔２４Ｄとが重複した箇所のみがエアフィルタ１８に相対して開口する。
【００２９】
また、ベルト２４Ｃは、吸引孔２４Ｄの側方に、吸引孔２４Ｄの長手方向に沿ってブラシ２４Ｅが設けられている。ブラシ２４Ｅは、エアフィルタ１８の表面に付着した塵埃を掻き出すものであり、ブラシ２４Ｅの先端はエアフィルタ１８の表面に接するように設けられている。
【００３０】
吸引ノズル２４の下端には、吸引ノズル２４の内部に設けられた通風路と連通し、吸引ダクト（図示せず）が取り付けられるダクト取付部２６を備えている。当該吸引ダクトは、吸引装置（図示せず）に連結される。エアフィルタ１８の表面に付着した塵埃は、吸引装置が吸引力を発生させることにより、吸引ノズル２４から吸引される。吸引ダクトは、吸引ノズル２４の移動を妨げないように折り曲げ可能に構成されている。
【００３１】
ここで、図６を用いて、吸引ダクト、吸引装置についてより具体的に説明する。図６は、図１に示す室内機の内部構成を概略的に示す斜視図である。屈曲自在の吸引ダクト４０の一端には、ダクト取付部２６が連結されている。吸引ダクト４０の他端は、吸引装置４１に連結されている。
【００３２】
さらに吸引装置４１は、排気ダクト４２に連結されており、排気ダクト４２はその一端が屋外に開放した排気ホース（図示せず）に連結されている。
【００３３】
吸引装置４１は、空気が流入する吸入口４３Ａと、空気を流出させる排出口４３Ｂを備えた略Ｕ字形のケーシング４３を備えている。ケーシング４３の主要部の内部には、流入した空気を搬送昇圧する複数枚の羽根を有する渦流ファン（図示せず）と、渦流ファンを回転駆動するモータ（図示せず）とを備えている。吸入口４３Ａには、吸引ダクト４０が接続され、排出口４３Ｂには、排気ダクト４２が接続される。
【００３４】
排気ダクト４２には静電霧化装置４４が固定されており、排気ダクト４２は静電霧化装置４４のユニットの一部となっている。この静電霧化装置４４は、粒子径がナノメートルサイズの静電ミストを生成するものである。静電霧化装置４４の下部には、静電ミスト吹出管（図示せず）の一端が連結されており、静電ミスト吹出管の他端は、通風路１６の側面に設けられた開口に連結されている。このため、静電霧化装置４４で生成した静電ミストを空気とともに通風路１６を介して室内に吹き出すことができる。これによって、室内空気に含まれる臭気成分や、カーテンや壁等に付着した臭気成分を除去することができる。
【００３５】
吸引ノズル２４は、通常、エアフィルタ１８に向かって右側の端部に位置している。エアフィルタ１８の清掃開始が指示されると、吸引ノズル２４がエアフィルタ１８の左側の方向に移動するとともに、吸引装置４１が吸引を開始する。エアフィルタ１８の表面に付着した塵埃は、ノズル開口部２４Ｂと吸引孔２４Ｄとが重複した箇所から、吸引ノズル２４の内部に設けられた通風路に吸引され、ダクト取付部２６内を通って吸引ノズル２４へと導かれる。吸引ノズル２４がエアフィルタ１８の左側の端部まで到達すると、吸引ノズル２４は再び、エアフィルタ１８の右側の端部へと戻される。次に、ベルト２４Ｃを移動させることで吸引孔２４Ｄをエアフィルタ１８の上下方向に移動させる。その後、再び、吸引ノズル２４がエアフィルタ１８の左側の方向に移動するとともに、吸引装置４１が吸引する。以上の動作を繰り返すことで、エアフィルタ１８の全面を順次、清掃できる。吸
引ノズル２４から吸引された塵埃は、吸引ダクト４０、排気ダクト４２、排気ホースを介して、屋外に排出される。なお、吸引孔２４Ｄを移動させて、吸引する場所を順次、変えることで、出力の小さな吸引装置であっても、強い吸引力を維持して塵埃を吸引することができる。
【００３６】
以上のように構成された空気調和機について、以下にその動作を説明する。この空気調和機は入力装置として、リモコンを備えており、このリモコンをユーザが操作して、冷房運転、暖房運転などの空調運転の指示（運転モードの指示）、所望する室内の温度（設定温度）の設定を行い、空調運転を開始する。
【００３７】
この空気調和機が行う空調運転には、冷房運転、暖房運転、除湿運転、送風運転、衣類乾燥運転がある。冷房運転は、冷凍サイクル回路の四方弁を、室内機に設けられた室内熱交換器６を蒸発器として作用させ、室外機に設けられた室外熱交換器を凝縮器として作用させるように切り換えて、圧縮機を駆動させる。そして、室内ファン８を駆動させることで、前面開口部２Ａ及び上面開口部２Ｂから取り入れた室内空気を、室内熱交換器６で冷却し、上下風向変更羽根１２が開制御された吹出口１０から吹き出すことで、室内機が設置された部屋（空調すべき部屋）を冷房するものである。
【００３８】
暖房運転は、冷凍サイクル回路の四方弁を、室内熱交換器６を凝縮器として作用させ、室外熱交換器を蒸発器として作用させるように切り換えて、圧縮機を駆動させる。そして、室内ファン８を駆動させることで、前面開口部２Ａ及び上面開口部２Ｂから取り入れた室内空気を、室内熱交換器６で加熱し、上下風向変更羽根１２が開制御された吹出口１０から吹き出すことで、部屋を暖房するものである。
【００３９】
除湿運転としては、本格除霜運転と冷房除霜運転の２つのモードを備えている。本格除湿運転は、冷凍サイクル回路の四方弁、減圧装置、室内熱交換器６内の回路内に設けた副減圧装置を操作し、室内熱交換器６の少なくとも一部を蒸発器として作用させるようにして、圧縮機と室内ファン８を駆動させることで、部屋の湿度を低下させる運転である。冷房除霜運転は、前述の冷房運転と同様に、冷凍サイクル回路の四方弁を、室内熱交換器６を蒸発器として作用させ、室外熱交換器を凝縮器として作用させるように切り換えて、圧縮機を駆動させるものであるが、圧縮機の運転周波数を、冷房運転より低周波数で運転するともに室内機本体２の室内ファン８の回転数も低く抑えて運転する運転である。このように、低能力の冷房運転することで極力部屋の温度を低下させることなく湿度を低下させることができる。
【００４０】
なお、除霜運転として、本格除湿運転を備えず、冷房除湿運転のみを備える空気調和機であれば、室内熱交換器６内の回路内に副減圧装置を設ける必要がなく、空気調和機を低コストで提供できる。
【００４１】
送風運転は、圧縮機を駆動させることなく、室内ファン８を駆動させることで、前面開口部２Ａ及び上面開口部２Ｂから取り入れた室内空気を、室内熱交換器６を通過させ、上下風向変更羽根１２が開制御された吹出口１０から吹き出すものである。
【００４２】
衣類乾燥運転は、室内機が設置された部屋（室内）に干した洗濯物などの衣類を乾燥させるための運転モードである。詳細については、後述する。
【００４３】
この空気調和機は、空調運転中に、赤外線検知センサ１７が空調すべき部屋内に定められた検知領域を検知し、その中で赤外線量が変動している部分を検出して、これに基づき人体や物体の位置を判断する。
【００４４】
この人や物の検出は、空調すべき部屋空間を複数の領域に区分けし、赤外線検知センサ１７からの赤外線量変動検出出力が複数の領域のどの領域から出ているのかを判定して人体や物体の存否を判定する。
【００４５】
図７は、この空気調和機が人体や物体を検知する部屋、すなわち赤外線検知センサ１７が検知対象とする領域（つまり、検知可能な領域）を模式的に示している。本実施の形態では赤外線検知センサ１７を構成する３個のセンサユニット１７Ａ、１７Ｂ、１７Ｃを適切に配置することで、図７に示すように領域Ａ〜Ｇの複数の領域（検知領域）における人体や物体の検知が可能となっている。
【００４６】
具体的な人体や物体の検知方法を以下に説明する。例えば、センサユニット１７Ａは領域Ａ、領域Ｂ、領域Ｃ、領域Ｄを検知可能に構成されている。センサユニット１７Ｂは領域Ｂ、領域Ｃ、領域Ｅ、領域Ｆを検知可能に構成されている。センサユニット１７Ｃは領域Ｃ、領域Ｄ、領域Ｆ、領域Ｇを検知可能に構成されている。
【００４７】
このような構成とすることによって、例えば、センサユニット１７Ａとセンサユニット１７Ｂで人体や物体を検知する一方で、センサユニット１７Ｃで人体や物体を検知しない場合には、領域Ｂに人体や物体が存在すると空気調和機は判断することができる。
【００４８】
そして、周期Ｔ１毎に各領域Ａ〜Ｇにおける人体や物体の在否が判定し、周期Ｔ１の反応結果（判定）として１（反応有り）あるいは０（反応無し）を出力し、これを複数回繰り返した後、存在反応が所定数得られたかどうかを判定し、所定数Ｍに達したと判定されると、当該領域に人体や物体が存在すると推定する。
【００４９】
なお、この例では上記赤外線検知センサ１７を用いて検知できる領域を７つとしたが、これは一例であって、本発明はこれに限定されない。
【００５０】
赤外線検知センサ１７が人体や物体の存在を検出すると、上下風向変更羽根１２や、左右風向変更羽根１４を駆動して人を検出した領域へと吹出口１０より吹き出される風向を変更し、当該領域を優先的に、冷房、暖房、送風などを行うことができる。すなわち、人体や物体が存在する領域を優先的に空調できる。
【００５１】
次に、この空気調和機が備える衣類乾燥運転について、図８のフローチャートを参照しながら詳細に説明する。まず、ステップＳ１で、ユーザがリモコンを操作して衣類乾燥運転を開始する。そして、ステップＳ２では、吸込温度センサが検知する温度（室内温度、室温）が所定値（例えば、１８℃）未満か否かを判定する。室内温度が所定値未満の場合にはステップＳ９に移行し、室内温度が所定値以上の場合には、ステップＳ３に移行する。
【００５２】
ステップＳ３では、圧縮機を起動する、または、ステップＳ３に移行時にすでに圧縮機が駆動していれば、その駆動状態を維持する。さらに、ステップＳ４では、室内ファン８の送風を開始する、または、ステップＳ４に移行時にすでに室内ファン８が駆動していれば、その駆動状態を維持する。その際、冷凍サイクル回路の四方弁は、室内熱交換器６を蒸発器として作用させ、室外熱交換器を凝縮器として作用させるように切り換えられる。また、圧縮機の運転周波数は、冷房運転より低周波数で運転する。また、室外機に設けられた減圧装置である膨張弁は、圧縮機周波数に対応して決定される目標吐出温度になるように開度制御が行われる（吐出温制御）。
【００５３】
その後、ステップＳ５では、湿度センサが検知する湿度（相対湿度）が所定値（例えば、７０％）未満か否かを判定する。相対湿度が所定値未満の場合にはステップＳ６に移行
する一方、所定値以上の場合にはステップＳ７に移行する。
【００５４】
ステップＳ６では、室内ファン８の回転数を、冷房運転より高い回転数とする。また、後述する風向制御によって、風向変更板の方向は、赤外線検知センサ１７が検知した、室内に干した洗濯物である衣類等に向けて送風するように調整される。これによって、室内の湿度が低い場合には、衣類に強い風を当てて、衣類の水分を室内の空気中に移動させることができるので、衣類の乾燥を促進することができる。
【００５５】
一方、ステップＳ７では、室内ファン８の回転数を、ステップＳ６で設定した回転数より低い回転数とする。つまり、湿度センサが検知する湿度が高い場合には、湿度が低い場合より室内ファン８の回転数を小さくする。また、上下風向変更羽根１２、左右風向変更羽根１４の方向は、空調すべき部屋全体に送風されるように、領域のすべてを揺動（スイング）させる。これによって、室内の湿度が高い場合には、風量を落として、除湿を重視することで、衣類から室内の空気中に移動した水分を、効果的に取り除くことができる。
【００５６】
その後、ステップＳ８では、衣類乾燥運転中に、ユーザがリモコンを操作して衣類乾燥運転の停止信号が入力されたか否かを判定する。ステップＳ８で、停止信号が入力されたと判定された場合には、空気調和機の運転を終了する。一方、ステップＳ１０で、停止信号が入力されていないと判定された場合には、ステップＳ２に戻り、再び、室内温度が所定値未満か否か判定を行う。
【００５７】
前述のように、ステップＳ２で、室内温度が所定値未満の場合にはステップＳ９に移行する。ステップＳ９では、圧縮機の運転を停止し、ステップＳ１０では、室内ファン８を停止する。これによって、上述の圧縮機の運転により室内温度が過度に低下し、室内の空気が保有できる水分量が過度に低下することを抑制できる。
【００５８】
ステップＳ１０の後、再び、ステップＳ２に戻り、室内温度が所定値以上か否かを判定する。つまり、室内の熱負荷などにより、室内温度が上昇し所定値以上となった場合には、再び、ステップＳ３、Ｓ４に移行し、圧縮機、室内ファン８を運転する。このように、ステップＳ２からＳ８の繰返しにより、衣類乾燥運転を継続して行われる。
【００５９】
ここで、ステップＳ５で相対湿度が所定値未満の場合に行われる、風向制御の動作の一例について図９を用いて説明する。
【００６０】
図９において、ステップＳ１１で領域Ａ〜Ｇにおける衣類の位置判定が行われ、ステップＳ１２において、衣類があると判定された領域が一つの場合、ステップＳ１３においてモード１の制御を行う。ステップＳ１２において、衣類があると判定された領域が一つではないと判定されると、ステップＳ１４において、衣類があると判定された領域を含むブロックが二つかどうかを判定し、二つの場合、ステップＳ１５でモード２の制御を行う。さらに、ステップＳ１４で衣類があると判定された領域が二つでないと判定されると、ステップＳ１６において三つ以上かどうかを判定し、三つ以上の場合、ステップＳ１７でモード３の制御を行う。
【００６１】
上記衣類があると判定された領域、つまり、重点的に風を向けるべき領域が判定されたのちに行う各モードの風向制御例は種々考えられるが、その代表的な例を図９に表の形で併記しておき、以下説明する。
【００６２】
まず、モード１は、左右風向変更羽根１４を駆動して、衣類があると判定された領域に吹出し風を向ける。例えば、領域Ｂに衣類があると判定された場合には、領域Ｂの方向に左右風向変更羽根１４を固定する。
【００６３】
また、モード２では、左右風向変更羽根１４を衣類があると判定された領域の間で、揺動させて該当する二つの領域に吹出し風を向ける。この時、左右風向変更羽根１４は二つの領域の間を揺動するが、各領域のところでしばらく停留して当該領域内に吹出し風が多く吹出されるようにする。例えば、領域Ｂと領域Ｆに衣類があると判定された場合には、領域Ｂと領域Ｆとの間で左右風向変更羽根１４を揺動させる。あるいは、領域Ｂと領域Ｇに衣類があると判定された場合には、領域Ｂと、領域Ｇとの間で左右風向変更羽根１４を揺動させる。これによって、衣類に効率的に吹出し風を当てることができる。
【００６４】
最後に、モード３では、左右風向変更羽根１４を衣類があると判定された領域で揺動させて該当する三つの領域に吹出し風を向ける。左右風向変更羽根１４の揺動は三つの領域の間を揺動するが、左右両側部の領域でしばらく停留して当該領域に吹出し風が多く吹出すものの、その停留時間をモード２より短くするとともに揺動速度を速めて真ん中の領域にも吹出し風が吹き出される回数が結果的に多くなるようにする。これによって、衣類に効率的に吹出し風を当てることができる。
【００６５】
なお、上記風向の制御において説明したモード１、モード２、モード３の左右風向変更羽根１４の揺動による吹出し風の風向制御例は一例にすぎず、これ以外に多くの制御例が考えられ、特にモード２とモード３にあっては、左右羽根の揺動・停留時間配分や揺動自体の速度・周期等種々考えられる。そして、この風向制御は具体的には説明しなかったが、上下風向変更羽根１２も含めた形で行うとより効果的であり、この場合はこの上下風向変更羽根１２も左右風向変更羽根１４とともに風向変更板となる。
【００６６】
なお、ステップＳ５で相対湿度が所定値未満の場合には、上述のステップＳ６を行うとともに、静電霧化装置４４を動作させてもよい。静電霧化装置４４により発生する静電ミストが、吹出し風とともに衣類に当たることで、負の帯電をした静電ミストの臭いの分解・脱臭作用により、洗濯物などの湿った衣類に、室内の臭いが移ることを防止できる。
【００６７】
以上説明したように、本実施の形態の空気調和機は、衣類乾燥運転として、圧縮機の運転を継続した状態で、湿度センサの検出湿度に応じて、室内ファン８の回転数が高い運転と室内ファン８の回転数が低い運転とを交互に行っているため、室内熱交換器６の室内温度程度まで上昇することがなく、室内熱交換器６に付着した結露水が再蒸発することがない。このため、再蒸発した結露水（水分）によって、室内の湿度が上昇することがなく、洗濯物の乾燥を迅速に行うことができる。
【００６８】
また、湿度センサの検出湿度が低い場合には、室内ファン８の回転数が高い運転を行うことで、衣類に強い風を当てて、衣類の水分を室内の空気中に移動させることができるので、衣類の乾燥を促進することができる。
【００６９】
また、湿度センサの検出湿度が高い場合には、室内ファン８の回転数が低い運転を行うことで、風量を落として、除湿を重視することで、衣類から室内の空気中に移動した水分を、効果的に取り除くことができる。
【００７０】
また、吸込温度センサの検出温度が所定温度より低い場合には、圧縮機を停止するとともに、室内ファン８も停止することで、室内熱交換器６に付着した結露水が再蒸発することがない。
【００７１】
また、空調すべき空間を複数の検知領域に区分し、検知領域における赤外線検知センサ１７からの出力で衣類の在否を検出し、赤外線検知センサ１７が衣類を検出した検知領域に風向を向けるように風向変更板を可動させることで、より効果的に衣類に強い風を当て
て、衣類の水分を室内の空気中に移動させることができるので、衣類の乾燥を促進することができる。
【００７２】
なお、本実施の形態では、相対湿度が所定値未満か否かの判定を１つの所定値で行うもの（ステップＳ５）と説明しているが、あらかじめ複数の所定値とそれらに応じた複数の室内ファン８の回転数とを設定して、相対湿度が所定値未満か否かの判定を複数の所定値（例えば、５０％と７０％）で行うものとしてもよい。つまり、例えば、相対湿度が５０％未満であれば、室内ファン８の回転数を高とし、相対湿度が５０％以上７０％未満であれば、室内ファン８の回転数を中とし、相対湿度が７０％以上であれば、室内ファン８の回転数を低としてもよい。
【００７３】
また、本実施の形態では、ステップＳ９で圧縮機を停止し、ステップＳ１０で室内ファン８を停止するものとして説明したが、ステップＳ９とステップＳ１０の代わりに、ステップＳ９’として、暖房運転を行ってもよい。これによれば、ステップＳ３の圧縮機の運転により室内温度が過度に低下し、室内の空気が保有できる水分量が過度に低下した場合でも、室内温度を上昇させ、室内の空気が保有できる水分量を向上させることができる。
【００７４】
または、本実施の形態のステップＳ１０の後に、さらに、吸込温度センサが検知する温度（室内温度）が、ステップＳ２の所定値より低く設定された第２の所定値（例えば、１６℃）未満か否かを判定するステップを設け、第２の所定値未満であれば、暖房運転を行うものとしてもよい。これによっても、ステップＳ３の圧縮機の運転により室内温度が過度に低下し、室内の空気が保有できる水分量が過度に低下した場合でも、室内温度を上昇させ、室内の空気が保有できる水分量を向上させることができる。
【００７５】
なお、本実施の形態の衣類乾燥運転は、除霜運転として、本格除湿運転を備えず、冷房除湿運転のみを備える空気調和機、つまり、室内熱交換器６内の回路内に副減圧装置を設えていない空気調和機に特に有効である。
【産業上の利用可能性】
【００７６】
本発明は、洗濯物等の衣類の乾燥を効率よく行うことができるので、壁掛け式の室内機を備えた空気調和機のみならず、床置き式やビルトイン式の空気調和機にも適用することができる。また、除湿機に適用することもできる。
【符号の説明】
【００７７】
２    本体
２Ａ  前面開口部
２Ｂ  上面開口部
４    前面パネル
６    室内熱交換器
８    室内ファン
１０    吹出口
１２    上下風向変更羽根
１４    左右風向変更羽根
１５    カバー
１６    通風路
１７    赤外線検知センサ
１８    エアフィルタ
１８Ａ  枠体部分
１８Ｂ  網部分
１９    センサホルダ
２０    フィルタ保持部材
２２    ガイドレール
２４    吸引ノズル
２４Ｅ  ブラシ
２６    ダクト取付部
４０    吸引ダクト
４１    吸引装置
４２    排気ダクト
４３    ケーシング
４３Ａ  吸入口
４３Ｂ  排出口
４４    静電霧化装置
【図１】
2016075441.tif 000003
【図２】
2016075441.tif 000004
【図３】
2016075441.tif 000005
【図４】
2016075441.tif 000006
【図５】
2016075441.tif 000007
【図６】
2016075441.tif 000008
【図７】
2016075441.tif 000009
【図８】
2016075441.tif 000010
【図９】
2016075441.tif 000011